(57)【要約】      （修正有）【課題】２層フィルターを備えたコーヒー濾過装置を提供する。【解決手段】コーヒー濾過装置は、フィルターカップ１と、グラインド装置２と、台座３と、を含む。フィルターカップ１は第１環状壁１１、第１環状壁１１の下方にある第１底壁１２、及び、中央に収容部１３を備える。第１環状壁１１は下方に複数の第１側部貫通孔１１１、及び、第１側部フィルター１１２が設けられる。第１底壁１２には複数の第１下部貫通孔１２１、及び、第１下部フィルター１２２が設けられる。第１底壁１２の中央には貫通孔１２３が設けられ、第１環状壁１１の外縁には第１接合部１１３が設けられる。グラインド装置２は、グラインドカッタ２１及び駆動ロッド２２を備え、グラインドカッタ２１はフィルターカップ１の収容部１３の下方に設置される。台座３はフィルターカップ１の外側に設置され、第２環状壁３１、及び、第２環状壁３１の下方にある第２底壁３２を備える。【選択図】図１
0003233695.tif 000002
【実用新案登録請求の範囲】
【請求項１】
２層フィルターを備えたコーヒー濾過装置であって、
第１環状壁、前記第１環状壁の下方にある第１底壁、及び、中央に収容部を備え、前記第１環状壁は下方に複数の第１側部貫通孔が設けられ、前記第１側部貫通孔に第１側部フィルターが設けられ、前記第１底壁に複数の第１下部貫通孔が設けられ、前記第１下部貫通孔に第１下部フィルターが設けられ、前記第１底壁の中央に貫通孔が設けられ、前記第１環状壁の外縁に第１接合部が設けられた、フィルターカップと、
グラインドカッタ、及び、駆動ロッドを備え、前記グラインドカッタは、前記フィルターカップの収容部の下方に設置され、前記駆動ロッドは、前記フィルターカップの貫通孔に挿通されて前記グラインドカッタと連動する、グラインド装置と、
前記フィルターカップの外側に設けられ、第２環状壁、及び、前記第２環状壁の下方にある第２底壁を備え、前記第２環状壁に複数の第２側部貫通孔が設けられ、前記第２側部貫通孔に第２側部フィルターが設けられ、前記第２底壁に複数の第２下部貫通孔が設けられ、前記第２下部貫通孔に第２下部フィルターが設けられ、前記第２底壁の中央に前記駆動ロッドを挿通可能な貫通孔が設けられ、前記第２環状壁に前記フィルターカップの第１接合部と接合可能な第２接合部が設けられた、台座と、
を含む、コーヒー濾過装置。
【請求項２】
前記フィルターカップの前記第１接合部は雄ねじ山を備え、前記台座の前記第２接合部は前記雄ねじ山と接合可能な雌ねじ山を備える、請求項１に記載のコーヒー濾過装置。
【請求項３】
前記フィルターカップの前記第１環状壁は、上方に２つの枢設孔が設けられており、
前記フィルターカップは、前記収容部内に設けられた円弧状体を呈するハンドルを含み、
前記ハンドルの両端には、２つの前記枢設孔とそれぞれ接合可能な回動軸が設けられた、請求項１に記載のコーヒー濾過装置。
【請求項４】
外側容器をさらに含み、前記台座の前記第２環状壁の外側に位置決め凸部が突設され、前記外側容器に前記フィルターカップ、及び、前記台座を収容可能な収容タンクが設けられ、前記収容タンクの内壁は前記台座の前記位置決め凸部と接合可能な掛止体を備え、前記収容タンクの底部に前記駆動ロッドを挿通可能な貫通孔が設けられ、前記収容タンクに導出口が設けられた、請求項１に記載のコーヒー濾過装置。
【考案の詳細な説明】
【技術分野】
【０００１】
本考案は２層フィルターを備えたコーヒー濾過装置に関し、主に２重濾過が可能な装置に関する。
【背景技術】
【０００２】
コーヒーは人々に愛される飲料品の１つである。一般的なコーヒー抽出方法は主に、コーヒー豆を手動又は機械で挽いてコーヒー粉にしてから、コーヒー粉をフィルターカップ内に入れる。フィルターカップの下方にはフィルターが設置されており、抽出時には熱水をフィルターカップ内に導入して、熱水がコーヒー粉を通って流れるようにしてコーヒー液を抽出し、コーヒー液はフィルターから外部容器に流れ出ることができる。フィルターはコーヒー粉を分離することができ、コーヒー粉が外部容器に流れ出て喉越しに影響を及ぼすのを防ぐことができる。
【０００３】
抽出の利便性を向上させるために、現在ではフィルターカップ内にグラインドカッタを設置することができ、コーヒー豆を直接フィルターカップ内に入れてから、グラインドカッタでコーヒー豆を挽いてコーヒー粉にし、挽き終えてから熱水を注いでコーヒー液を抽出することができる。
【０００４】
しかし、上述のコーヒー粉を直接フィルターカップ内で挽く過程は、高速でグラインドするパワーによって微小な粉がフィルターを通過し、フィルターの外側に落下しかねないという欠点があり、コーヒー粉がコーヒー液を受ける容器内に落下すると飲用コーヒーの喉越しに影響が出てしまう。
【考案の概要】
【考案が解決しようとする課題】
【０００５】
本考案は、飲用の際の喉越しを向上させ、良好且つ衛生的な組み立ての利便性を具備し得る、２重濾過が可能なコーヒー濾過装置を提供することを目的としている。
【課題を解決するための手段】
【０００６】
本考案は、フィルターカップと、グラインド装置と、台座と、を含む。
フィルターカップは第１環状壁、第１環状壁の下方にある第１底壁、及び、中央に収容部を備え、第１環状壁は下方に複数の第１側部貫通孔が設けられ、第１側部貫通孔には第１側部フィルターが設けられ、第１底壁には複数の第１下部貫通孔が設けられ、第１下部貫通孔には第１下部フィルターが設けられている。第１底壁の中央には貫通孔が設けられ、第１環状壁の外縁には第１接合部が設けられている。
グラインド装置はグラインドカッタ、及び、駆動ロッドを備え、グラインドカッタはフィルターカップの収容部の下方に設置されている。駆動ロッドはフィルターカップの貫通孔に挿通され、且つグラインドカッタと連動する。
台座はフィルターカップの外側に設置され、第２環状壁、及び、第２環状壁の下方にある第２底壁を備え、第２環状壁には複数の第２側部貫通孔が設けられ、第２側部貫通孔には第２側部フィルターが設けられ、第２底壁には複数の第２下部貫通孔が設けられ、第２下部貫通孔には第２下部フィルターが設けられ、第２底壁の中央には駆動ロッドを挿通可能な貫通孔が設けられ、第２環状壁にはフィルターカップの第１接合部と接合可能な第２接合部が設けられている。
【０００７】
本考案の実施例では、フィルターカップの第１接合部は雄ねじ山を備え、台座の第２接合部は雄ねじ山と接合可能な雌ねじ山を備えている。
【０００８】
本考案の実施例では、外側容器をさらに含み、台座の第２環状壁の外側には位置決め凸部が突設され、外側容器にはフィルターカップ、及び、台座を収容可能な収容タンクが設けられ、収容タンクの内壁は台座の位置決め凸部と接合可能な掛止体を備え、収容タンクの底部には駆動ロッドを挿通可能な貫通孔が設けられ、収容タンクには導出口が設けられている。
【考案の効果】
【０００９】
本考案は、フィルターカップの収容部内にコーヒー豆を入れ、グラインド装置を作動させてグラインドカッタを回転させ、コーヒー豆を挽いてコーヒー粉を形成することができる。グラインド過程では、コーヒー粉のほとんどが第１側部フィルター、及び、第１下部フィルターによって遮られ、収容部を抜け出さないようにすることができる。わずかな細かいコーヒー粉がグラインド過程の衝撃力によって第１側部フィルター、及び、第１下部フィルターから漏れ出た場合には、台座とフィルターカップとの間に落下させることができる。漏れ出たコーヒー粉は第２側部フィルター、及び、第２下部フィルターによって遮ることができ、台座の外側に漏れ出ることがなく、良好なコーヒー粉の濾過効果を具備することができる。
【図面の簡単な説明】
【００１０】
【図１】本考案の分解斜視図である。
【図２】本考案の斜視図である。
【図３】本考案の断面図である。
【図４】本考案の外側容器の分解斜視図である。
【図５】本考案を外側容器内に組み合わせた状態の断面図である。
【考案を実施するための形態】
【実施例】
【００１１】
図１〜図３を参照する。本考案はフィルターカップ１、グラインド装置２、台座３を含む。フィルターカップ１は第１環状壁１１を備え、第１環状壁１１は下方に第１底壁１２を備え、中央に収容部１３を備え、上方に開口１４を備える。第１環状壁１１は下方に複数の第１側部貫通孔１１１が設けられ、第１側部貫通孔１１１には第１側部フィルター１１２が設けられ、第１底壁１２には複数の第１下部貫通孔１２１が設けられ、第１下部貫通孔１２１には第１下部フィルター１２２が設けられている。第１底壁１２の中央には貫通孔１２３が設けられ、第１環状壁１１の外縁には第１接合部１１３が設けられ、第１接合部１１３は雄ねじ山１１４を備える。第１環状壁１１は、上方に２つの枢設孔１１５が設けられており、またフィルターカップ１はハンドル１５を含む。ハンドル１５は円弧状体を呈し、フィルターカップ１の収容部１３内に設けられ、ハンドルの２端すなわち両端にはそれぞれ２つの枢設孔１１５と接合可能な回動軸１５１が設けられている。
【００１２】
グラインド装置２は、グラインドカッタ２１、及び、駆動ロッド２２を備え、グラインドカッタ２１はフィルターカップ１の収容部１３の下方に設置されている。駆動ロッド２２は、フィルターカップ１の貫通孔１２３に挿通されてグラインドカッタ２１と連動し、駆動ロッド２２の底端は外部モータ（図示しない）と連動可能に接合されている。
【００１３】
台座３はフィルターカップ１の外側に設けられ、第２環状壁３１を備え、第２環状壁３１は下方に第２底壁３２を備える。第２環状壁３１には複数の第２側部貫通孔３１１が設けられ、第２側部貫通孔３１１には第２側部フィルター３１２が設けられる。第２底壁３２には複数の第２下部貫通孔３２１が設けられ、第２下部貫通孔３２１には第２下部フィルター３２２が設けられる。第２底壁３２の中央には駆動ロッド２２を挿通可能な貫通孔３２３が設けられ、第２環状壁３１にはフィルターカップ１の第１接合部１１３と接合可能な第２接合部３１３が設けられ、第２接合部３１３はフィルターカップ１の雄ねじ山１１４と接合可能な雌ねじ山３１４を備えている。
【００１４】
図４、図５を参照する。本考案は、外側容器４をさらに含むことができる。台座３の第２環状壁３１の外側には位置決め凸部３１５が突設され、外側容器４にはフィルターカップ１及び台座３を収容可能な収容タンク４１が設けられる。収容タンク４１の内壁は台座３の位置決め凸部３１５と接合可能な掛止体４２を備え、収容タンク４１の底部には駆動ロッド２２を挿通可能な貫通孔４３が設けられ、収容タンク４１の側面には導出口４４が設けられている。
【００１５】
本考案は、台座３の雌ねじ山３１４をフィルターカップ１の雄ねじ山１１４と螺合して、台座３とフィルターカップ１の第１環状壁１１に密着状態を形成させることができる。グラインド装置２はフィルターカップ１上に組み合わせて、台座３は外側容器４内に設置し、位置決め凸部３１５を掛止体４２と接合して位置決めする。外側容器４はコーヒー器具（図示しない）上に設置し、グラインド装置２の駆動ロッド２２をコーヒー器具のモータと連動させて接合する。
【００１６】
本考案は、フィルターカップ１の収容部１３内にコーヒー豆（図示しない）を入れ、グラインド装置２を作動させてグラインドカッタ２１を回転させ、コーヒー豆を挽いてコーヒー粉を形成する。グラインド過程では、コーヒー粉のほとんどが第１側部フィルター１１２、及び、第１下部フィルター１２２によって遮られ、収容部１３を抜け出さないようにすることができる。わずかな細かいコーヒー粉がグラインド過程の衝撃力によって第１側部フィルター１１２、及び、第１下部フィルター１２２から漏れ出た場合には、台座３とフィルターカップ１との間に落下させることができる。漏れ出たコーヒー粉は第２側部フィルター３１２、第２下部フィルター３２２によって遮ることができ、台座３の外側に漏れ出ることがない。
【００１７】
本考案は、コーヒー粉を挽いた後、フィルターカップ１の収容部１３に熱水を注ぎ、抽出されたコーヒー液が第１側部フィルター１１２、及び、第１下部フィルター１２２からフィルターカップ１と台座３の間に流れ出て、さらに第２側部フィルター３１２、第２下部フィルター３２２から外側容器４に流れ出て、導出口４４から導出されるようにすることができる。コーヒー粉がフィルターカップ１と台座３とによって２重に分離されるため、コーヒー粉が導出口４４から導出されないことを確保することができ、飲用の際の良好な喉越しを具備し得る。それとともに、フィルターカップ１、及び、台座３はそれぞれ側面と底部のどちらにもコーヒー液を導出可能な第１側部フィルター１１２と第１下部フィルター１２２、及び、第２側部フィルター３１２と第２下部フィルター３２２が設置されており、コーヒー液の導出効果を良好に向上させることができ、詰まった状態が発生することがない。
【００１８】
本考案は、台座３の位置決め凸部３１５と外側容器４の掛止体４２とを取り外すことができる。ハンドル１５によってフィルターカップ１および台座３と外側容器４とを便利に取り外すことができる。台座３の雌ねじ山３１４とフィルターカップ１の雄ねじ山１１４とを取り外すことで、抽出後の台座３とフィルターカップ１とを簡単に分解してコーヒー粉を掃除することができ、掃除の利便性に良好な効果を具備することができる。
【００１９】
本考案は、上述によって２重濾過を可能とし、コーヒー粉の濾過効果をより良く向上させる。上述の実施例は本考案を例示するものであり、決して本考案を限定するものではなく、本考案の精神に基づく同等の効果が得られる改変はすべて本考案の範囲に属する。
【符号の説明】
【００２０】
１  フィルターカップ
１１  第１環状壁
１１１  第１側部貫通孔
１１２  第１側部フィルター
１１３  第１接合部
１１４  雄ねじ山
１１５  枢設孔
１２  第１底壁
１２１  第１下部貫通孔
１２２  第１下部フィルター
１２３  貫通孔
１３  収容部
１４  開口
１５  ハンドル
１５１  回動軸
２  グラインド装置
２１  グラインドカッタ
２２  駆動ロッド
３  台座
３１  第２環状壁
３１１  第２側部貫通孔
３１２  第２側部フィルター
３１３  第２接合部
３１４  雌ねじ山
３１５  位置決め凸部
３２  第２底壁
３２１  第２下部貫通孔
３２２  第２下部フィルター
３２３  貫通孔
４  外側容器
４１  収容タンク
４２  掛止体
４３  貫通孔
４４  導出口
【図１】
0003233695.tif 000003
【図２】
0003233695.tif 000004
【図３】
0003233695.tif 000005
【図４】
0003233695.tif 000006
【図５】
0003233695.tif 000007